(57)【要約】【課題】屋外でパソコンを使って運転監視やサービスメンテナンス等を行う際、パソコンを繋ぐ電源を容易に確保することができる空気調和機の室外ユニットを提供することを目的とする。【解決手段】筐体２内に冷凍サイクルを構成する機器と、冷凍サイクル構成機器を制御する制御ボックス３とが配設され、制御ボックス３に冷凍サイクル構成機器駆動用の電力を供給する電源ケーブル７が接続されている空気調和機の室外ユニット１において、制御ボックス３に、電源ケーブル７に繋がれるとともに、パソコン１４等他の電気製品の電源コード１５が接続可能とされた電源タップ１０が設けられている。【選択図】図１
2009210158.tif 000002
【特許請求の範囲】
【請求項１】
筐体内に冷凍サイクルを構成する機器と、これら冷凍サイクル構成機器を制御する制御ボックスとが配設され、前記制御ボックスに前記冷凍サイクル構成機器駆動用の電力を供給する電源ケーブルが接続されている空気調和機の室外ユニットにおいて、
前記制御ボックスに、前記電源ケーブルに繋がれるとともに、パソコン等他の電気製品の電源コードが接続可能とされた電源タップが設けられている特徴とする空気調和機の室外ユニット。
【請求項２】
前記電源タップは、前記制御ボックスに供給される前記室外ユニット駆動用のＡＣ２００Ｖ電力を降圧したＡＣ１００Ｖ用の電源タップとされていることを特徴とする請求項１に記載の空気調和機の室外ユニット。
【請求項３】
前記制御ボックスの開閉蓋は、水平位置に開放され、パソコン等他の電気製品の置き台として前記水平位置に固定可能とされていることを特徴とする請求項１または２に記載の空気調和機の室外ユニット。
【請求項４】
前記筐体には、ノート型パソコンを収納するパソコン収納ボックスが設けられていることを特徴とする請求項１ないし３のいずれかに記載の空気調和機の室外ユニット。
【発明の詳細な説明】
【技術分野】
【０００１】
本発明は、メンテナンス用パソコンを使用して空気調和機の運転データやエラーデータ等をサンプリングし、運転監視やサービスメンテナンス等を行うことができる空気調和機の室外ユニットに関するものである。
【背景技術】
【０００２】
ビルや店舗のフロア等の空調に供される業務用の空気調和機は、近年、運転監視や故障診断等を含むサービスメンテナンスの際、室外ユニットの制御ボックスに設けられているコネクタにメンテナンス用ソフトをインストールしたパソコンを接続して運転データやエラーデータ等をサンプリングし、メンテナンスが行える構成とされている。また、業務用空気調和機のサービス分野において、今後ますますパソコンの使用頻度が増加して行くと考えられる。
【０００３】
このような状況下、メンテナンス用のパソコンは、室外ユニットの制御ボックスに設けられているコネクタに通信線を接続することにより、運転データやエラーデータ等をサンプリング可能とされているが、パソコンの駆動電源は、バッテリーを用いるか、もしくは室内側のコンセントから電源ケーブルを引き出し、それにパソコンの電源コードを繋ぐことにより駆動電源を確保していた。これは、室外ユニットが設置される屋外には、パソコン等の電気製品を繋ぐための電源が装備されていない場合が圧倒的に多いためである。
【０００４】
一方、特許文献１には、自動演奏ピアノにおいて、室内に設けられているコンセントにピアノの電源コードを接続してピアノを置くと、室内のコンセントがピアノ本体に隠れてしまうことがあり、他の電気器具が使用できなくなる不便を解消するため、ピアノ本体の下側前面部に、電源コードに繋がるコンセントを装備した技術が開示されている。
【０００５】
【特許文献１】実開平５−５２８９３号公報
【発明の開示】
【発明が解決しようとする課題】
【０００６】
上記のように、従来の空気調和機の室外ユニットにおいては、運転監視やサービスメンテナンスの際、パソコンを使用して運転データやエラーデータをサンプリングしようとすると、室外ユニットが電源から遠く離れた屋外に設置されているため、バッテリーを利用するか、長い電源ケーブルを引き回して電源を確保する必要があり、パソコン使用時の電源確保が煩わしいという問題があった。
【０００７】
また、特許文献１には、自動演奏ピアノを置くことで他の電気器具が使用できなくなる不便を解消するため、ピアノ本体にコンセントを装備する技術が開示されているが、これは一般家庭内で使用される電気機器において、室内コンセント（ＡＣ１００Ｖ）に接続される電源コードに対しコンセントを付設して構成したものであり、屋外での電源提供を課題とするものでも、屋外に設置され、商用ＡＣ２００Ｖ電源に繋がれて使用される業務用空気調和機の室外ユニットへの転用を示唆するものでもなく、業務用空気調和機の室外ユニットにそのまま適用できるものでもなかった。
【０００８】
本発明は、このような事情に鑑みてなされたものであって、屋外でパソコンを使って運転監視やサービスメンテナンス等を行う際、パソコンを繋ぐ電源を容易に確保することができる空気調和機の室外ユニットを提供することを目的とする。
【課題を解決するための手段】
【０００９】
上記課題を解決するために、本発明の空気調和機の室外ユニットは、以下の手段を採用する。
すなわち、本発明にかかる空気調和機の室外ユニットは、筐体内に冷凍サイクルを構成する機器と、これら冷凍サイクル構成機器を制御する制御ボックスとが配設され、前記制御ボックスに前記冷凍サイクル構成機器駆動用の電力を供給する電源ケーブルが接続されている空気調和機の室外ユニットにおいて、前記制御ボックスに、前記電源ケーブルに繋がれるとともに、パソコン等他の電気製品の電源コードが接続可能とされた電源タップが設けられている特徴とする。
【００１０】
本発明によれば、制御ボックスに、電源ケーブルに繋がれるとともに、パソコン等他の電気製品の電源コードが接続可能とされた電源タップが設けられているため、屋外において室外ユニットの制御ボックスにパソコンを繋いで運転データやエラーデータ等をサンプリングし、運転監視やサービスメンテナンス等を行う場合に、メンテナンス用パソコンの電源コードを制御ボックスに設けられている電源タップに接続すればよい。従って、パソコンを使用する度に電源を確保する煩わしさから解放され、パソコンを用いての空気調和機の運転監視やサービスメンテナンスを容易化することができる。
【００１１】
さらに、本発明の空気調和機の室外ユニットは、上記の空気調和機の室外ユニットにおいて、前記電源タップは、前記制御ボックスに供給される前記室外ユニット駆動用のＡＣ２００Ｖ電力を降圧したＡＣ１００Ｖ用の電源タップとされていることを特徴とする。
【００１２】
本発明によれば、電源タップが、制御ボックスに供給される室外ユニット駆動用のＡＣ２００Ｖ電力を降圧したＡＣ１００Ｖ用の電源タップとされているため、ＡＣ１００Ｖを駆動電力とする全ての電気製品について、屋外で使用する際の電源とすることができる。従って、パソコンを使用して空気調和機の運転監視やサービスメンテナンス等を行う場合以外に、他の電気製品を屋外で使用する際の電源としても有効利用することができる。
【００１３】
さらに、本発明の空気調和機の室外ユニットは、上述のいずれかの空気調和機の室外ユニットにおいて、前記制御ボックスの開閉蓋は、水平位置に開放され、パソコン等他の電気製品の置き台として前記水平位置に固定可能とされていることを特徴とする。
【００１４】
本発明によれば、制御ボックスの開閉蓋が、水平位置に開放され、パソコン等他の電気製品の置き台として水平位置に固定可能とされているため、制御ボックスの開閉蓋を開いて水平位置に固定し、その上にパソコンを置いて運転データやエラーデータ等をサンプリングしながら、それを見てメンテナンスを行うことができる。従って、空気調和機の運転監視や各種メンテナンスを効率的に実施することが可能となる。
【００１５】
さらに、本発明の空気調和機の室外ユニットは、上述のいずれかの空気調和機の室外ユニットにおいて、前記筐体には、ノート型パソコンを収納するパソコン収納ボックスが設けられていることを特徴とする。
【００１６】
本発明によれば、筐体に、ノート型パソコンを収納するパソコン収納ボックスが設けられているため、長時間にわたって運転データをサンプリングする場合等には、ノート型パソコンを閉じ、ノイズの影響を受けないパソコン収納ボックス内に収納して使用することができる。従って、多様なパソコンの使用態様にも対応することが可能となる。
【発明の効果】
【００１７】
本発明によると、屋外において室外ユニットの制御ボックスにパソコンを繋いで運転データやエラーデータ等をサンプリングし、運転監視やサービスメンテナンス等を行う場合に、メンテナンス用パソコンの電源コードを制御ボックスに設けられている電源タップに接続すればよく、このため、パソコンを使用する度に電源を確保する煩わしさから解放され、パソコンを用いての空気調和機の運転監視やサービスメンテナンスを容易化することができる。
【発明を実施するための最良の形態】
【００１８】
以下に、本発明にかかる一実施形態について、図１および図２を参照して説明する。
図１には、本発明の一実施形態にかかる空気調和機の室外ユニット１の概略斜視図が示され、図２には、その電源回路図が示されている。
空気調和機の室外ユニット１は、縦長直方体形状の筐体２を備えており、その内部には公知の如く図示省略の圧縮機、四方切換弁、室外熱交換器、室外ファン、レシーバ、アキュームレータ等の冷凍サイクル構成機器が配設されている。この室外ユニット１に対して少なくとも１台以上の室内ユニット（図示省略）が液冷媒配管およびガス冷媒配管を介して接続されることにより、空気調和機が構成されることとなる。
【００１９】
また、室外ユニット１の内部には、室内ユニット側から送信される制御信号に基づいて室外ユニット１側の上記機器を制御するための制御ボックス３が設けられている。制御ボックス３は、前面側に開閉蓋４を備え、この開閉蓋４は、下辺がボックス本体５に対してヒンジ結合され、上下方向に開閉可能とされるとともに、水平位置において固定できるようにステー６が連結されている。開閉蓋４は、水平位置に開放して固定し、後述するメンテナンス用パソコン１４の置き台として利用するため、上記の如く構成とされている。
【００２０】
制御ボックス３には、室外ユニット１に設けられている圧縮機、室外ファン等の機器を駆動するため、ＡＣ２００Ｖ電力が商用電源（ＡＣ２００Ｖ）から電源ケーブル７および端子台８を介して入力されている。また、制御ボックス３内には、上記機器の制御回路が実装された制御基板９や電源タップ１０が設置されており、これらは、図２に示されるように、端子台８に入力されたＡＣ２００Ｖの三相電力線１１に繋がれている。なお、三相電力線１１には、圧縮機用モータ１２等の電気機器が接続されている。
【００２１】
電源タップ１０は、ＡＣ２００Ｖの三相電力線１１の二相に降圧用のトランス１３を介して接続され、ＡＣ１００Ｖを電源とする他の電気製品の電源コードが接続可能に構成されている。ここでの電源タップ１０は、主に空気調和機の運転監視や故障診断等を含むサービスメンテナンスの際に使用されるメンテナンス用パソコン１４（ノートパソコン）の電源として、パソコン１４の電源コード１５が接続可能とされている。
【００２２】
また、制御基板９には、運転監視やサービスメンテナンス時、ＲＯＭに記憶されている運転データやエラーデータをサンプリングするために、メンテナンス用パソコン１４の通信線１６を接続するコネクタ１７が設けられている。さらに、筐体２の下方部には、少なくともメンテナンス用のノートパソコン１４を閉じた状態で収納することが可能なスペースを有するパソコン収納ボックス１８が設けられている。なお、このパソコン収納ボックス１８は、電磁ノイズが遮蔽されるとともに、風雨が侵入できない構成とされることはもちろんである。
【００２３】
以上に説明の構成により、本実施形態によれば、以下の作用効果を奏する。
空気調和機の運転監視や故障診断等を含むサービスメンテナンスを行う場合、室外ユニット１に設けられている制御ボックス３の開閉蓋４を開き、ステー６を介して開閉蓋４を水平位置に固定する。この開閉蓋４を置き台としその上にメンテナンス用パソコン１４を置き、電源コード１５を電源タップ１０に接続するとともに、通信線１６を制御基板９のコネクタ１７に接続してパソコン１４をセットする。
【００２４】
この状態でパソコン１４を作動させることにより、室外ユニット１の制御基板９から空気調和機の運転データや故障診断等に用いられるアラームデータ、エラーメッセージ等のデータをサンプリングすることができる。このため、サンプリングしたデータを直接見ながらメンテナンスをすることができる。従って、パソコン１４を使用して空気調和機の運転監視や各種メンテナンスを効率的に実施することが可能となる。
【００２５】
また、屋外にもかかわらず、メンテナンス用のパソコン１４を使用して運転監視やサービスメンテナンスを行う際、パソコン１４の電源コード１５を制御ボックス３に設けられている電源タップ１０に接続すれば駆動電源を確保することができる。このため、パソコン１４を使用する度に電源を確保する煩わしさから解放され、屋外でのパソコン１４を用いた空気調和機の運転監視やサービスメンテナンス等を容易化することができる。
【００２６】
また、電源タップ１０は、制御ボックス３に供給される室外ユニット１側の圧縮機用モータ１２等の駆動機器用ＡＣ２００Ｖ電力をトランス１３によって降圧したＡＣ１００Ｖ用の電源タップとされているため、パソコン１４に限らず、ＡＣ１００Ｖを駆動電力とする全ての電気製品について、屋外で使用する際の電源とすることができる。従って、パソコンを使用して空気調和機の運転監視やサービスメンテナンスを行う場合以外にも、例えば、散水ポンプ等、他の電気製品を屋外で使用する際の電源として有効利用することができる。
【００２７】
さらに、筐体２の下方部には、メンテナンス用ノートパソコン１４を閉じた状態で収納することができるスペースを備えたパソコン収納ボックス１８が設けられているため、長時間運転監視が必要な場合には、パソコン１４を閉じた状態でパソコン収納ボックス１８内に収納して使用することができる等、開閉蓋４を置き台として使うだけでなく、多様なパソコン１４の使用態様にも対応することができる。
【００２８】
なお、本発明は、上記実施形態にかかる発明に限定されるものではなく、その要旨を逸脱しない範囲において、適宜変形が可能である。例えば、上記実施形態では、制御ボックス３が筐体２の上方部、パソコン収納ボックス１８が筐体２の下方部に設けられた例について説明したが、制御ボックス３およびパソコン収納ボックス１８に配設位置は、冷凍サイクル構成機器の配設位置等に応じて適宜変更可能である。ただし、雨水が侵入し難い位置が望ましいことは云うまでもない。
【００２９】
また、制御ボックス３の開閉蓋４は、下辺をヒンジ結合することにより上下方向に開閉され、水平位置で固定可能な構成としたが、パソコン１４の置き台として水平位置に固定できる構成であれば、如何なる構成としてもよい。
【図面の簡単な説明】
【００３０】
【図１】本発明の一実施形態にかかる空気調和機の室外ユニットの概略斜視図である。
【図２】図１に示す空気調和機の室外ユニットの電源回路図である。
【符号の説明】
【００３１】
１  室外ユニット
２  筐体
３  制御ボックス
４  開閉蓋
７  電源ケーブル
１０  電源タップ
１１  三相電力線
１２  圧縮機用モータ
１３  トランス
１４  メンテナンス用パソコン（パソコン）
１５  電源コード
１８  パソコン収納ボックス
【図１】
2009210158.tif 000003
【図２】
2009210158.tif 000004